(57)【要約】【課題】撮像装置を拡大鏡として利用する際の操作性を向上させる。【解決手段】カメラ本体にフードを取り付けると、マイクロスイッチ５４を介してフードの取り付けがＣＰＵ３７に検出される。フードの取り付けを検出したＣＰＵ３７は、レンズモータ３５を駆動してフォーカスレンズ３２を光軸方向に移動させ、撮影レンズ１０の焦点をフードの先端位置に合わせるとともに、最大のズーム倍率をデジタルズーム処理部５９に入力し、デジタルカメラを拡大鏡モードに設定する。デジタルズーム処理部５９は、ＣＣＤ３８で取得された原画像データにデジタルズーム処理を施し、前記ズーム倍率に応じたズーム画像データを作成する。拡大鏡モードでは、作成されたズーム画像データで表されるズーム画像がスルー画として液晶パネル２０に表示される。【選択図】図３
2007208715.tif 000002
【特許請求の範囲】
【請求項１】
撮影レンズが結像した被写体像を撮影して前記被写体像に応じた原画像データを取得する撮像素子と、前記撮影レンズに含まれるフォーカスレンズを光軸方向に移動させるレンズ移動手段と、前記原画像データが表す原画像を表示する表示手段と、前記原画像データの一部を抽出して所定のズーム倍率に拡大したズーム画像データを作成するデジタルズーム処理手段とを備えた本体部を有する撮像装置において、
先端が前記撮影レンズよりも前方に突出するように前記本体部に設けられ、情報が記載された対象物に前記先端を当接させることによって、前記本体部と前記対象物との距離を一定に保つスペーサ部材と、
前記対象物に記載された情報を前記表示手段に拡大して表示するための拡大鏡モードを設定するモード設定手段と、
このモード設定手段によって前記拡大鏡モードが設定された際に、前記レンズ移動手段を駆動して前記スペーサ部材の先端位置に前記撮影レンズの焦点を合わせるとともに、前記デジタルズーム処理手段に前記ズーム画像データを作成させ、作成された前記ズーム画像データが表すズーム画像を前記表示手段に表示することにより前記拡大鏡モードを実行するモード制御手段とを設けたことを特徴とする撮像装置。
【請求項２】
前記モード制御手段は、前記撮像素子から出力された前記原画像データを基に前記ズーム画像データを作成し、作成した前記ズーム画像データが表す前記ズーム画像をスルー画として前記表示手段に表示することを特徴とする請求項１記載の撮像装置。
【請求項３】
前記本体部は、前記撮像素子に撮影の実行を指示するレリーズボタンと、撮影の実行に応じて取得された前記原画像データを記録媒体に記録する記録手段とを有し、
前記モード制御手段は、前記表示手段にスルー画として前記ズーム画像を表示した状態で前記レリーズボタンが操作された際に、前記原画像データを前記記録媒体に記録するとともに、記録した前記原画像データを再び前記記録媒体から読み出して、この読み出した前記原画像データを基に前記ズーム画像データを作成し、作成した前記ズーム画像データが表す前記ズーム画像を前記表示手段に表示することを特徴とする請求項２記載の撮像装置。
【請求項４】
前記原画像データを基に被写体の輝度を表す測光値を算出する測光手段と、
前記測光値が所定値以上あるか否かを判定する判定手段と、
この判定手段によって前記測光値が所定値以下であると判定された際に、前記対象物を照らす照明手段とを設けたことを特徴とする請求項１から３のいずれか１項に記載の撮像装置。
【請求項５】
前記原画像データから算出されるフォーカス評価値を基にコントラスト方式のオートフォーカス処理を行う合焦制御手段を有し、
前記照明手段を、前記オートフォーカス処理の際に被写体を照らすＡＦ補助光と兼用としたことを特徴とする請求項４記載の撮像装置。
【請求項６】
前記スペーサ部材を前記本体部に対して着脱自在に構成するとともに、前記スペーサ部材が取り付けられているか否かを検出する検出手段を前記本体部に設け、
前記モード設定手段は、前記スペーサ部材が取り付けられたことを前記検出手段が検出した際に、前記拡大鏡モードを設定することを特徴とする請求項１から５のいずれか１項に記載の撮像装置。
【請求項７】
前記デジタルズーム処理手段は、前記原画像データの抽出する位置を示す抽出位置と前記ズーム倍率とによって設定される抽出領域に基づいて前記原画像データの抽出を行っており、
前記デジタルズーム処理手段に前記抽出位置の移動を指示する移動指示手段を、前記本体部に設けたことを特徴とする請求項１から６のいずれか１項に記載の撮像装置。
【請求項８】
前記抽出位置の移動可能な方向を報知する報知手段を設けたことを特徴とする請求項７記載の撮像装置。
【請求項９】
前記スペーサ部材は、前記撮影レンズを囲むように略筒状に形成されるとともに、その先端面が平滑に形成され、前記対象物の表面と前記撮像素子の撮像面とを平行にすることを特徴とする請求項１から８のいずれか１項に記載の撮像装置。
【請求項１０】
前記対象物に記載された情報には、少なくとも文字、記号、図柄のいずれかが含まれることを特徴とする請求項１から９のいずれか１項に記載の撮像装置。
【発明の詳細な説明】
【技術分野】
【０００１】
本発明は、画像データの一部を抽出して所定のズーム倍率に拡大するデジタルズーム処理を行う撮像装置に関する。
【背景技術】
【０００２】
被写体像をＣＣＤイメージセンサなどの撮像素子で撮像してデジタルの画像データに変換し、内蔵メモリやメモリカードなどの記憶媒体に記録するデジタルカメラが普及している。こうしたデジタルカメラの機能の１つとして、画像の一部を抽出して拡大する、いわゆるデジタルズーム機能が知られている（特許文献１参照）。デジタルズーム機能は、光学ズームと比較して構成が簡素であり、安価に実施できることから多くのデジタルカメラに搭載されている。
【０００３】
また、被写体をフレーミングするためのスルー画や撮影された画像などを表示するため、デジタルカメラのほとんどには、液晶パネルなどのディスプレイが設けられている。デジタルズーム機能とディスプレイとを備えたデジタルカメラでは、書類に記載された文字や図柄などを近接撮影し、デジタルズームで拡大してディスプレイに表示することにより、ルーペなどといった拡大鏡の代わりにすることもできる。
【０００４】
例えば、旅行用の時刻表やガイドブックなどは、携帯性を考慮して衣服のポケットなどに収納できる程度に小型化されていることが多く、記載された文字や図柄なども細かくなりがちである。このため、これらを見る際に拡大鏡を必要とする場合があるが、旅行時には荷物を少なくできることが好ましく、デジタルカメラを携帯する際には、拡大鏡を別途携帯するよりもデジタルカメラを拡大鏡として代用した方が効率的である。
【特許文献１】特開２００５−８００８６号公報
【発明の開示】
【発明が解決しようとする課題】
【０００５】
しかしながら、デジタルカメラを拡大鏡の代わりにしようとすると、ズーム倍率やフォーカスを合わせなければならないとともに、カメラの機種によっては通常の撮影モードとは異なるマクロ撮影モードに設定しなければならないなど、拡大鏡で見る場合と比較して格段に操作性が悪いという問題がある。また、対象物とデジタルカメラとの距離を一定に保持し続けることは非常に困難であり、一度フォーカスを合わせたとしても、距離が変わってしまえば調整のし直しを余儀なくされる。
【０００６】
本発明は、上記課題を鑑みてなされたものであり、拡大鏡として利用する際の操作性を向上させた撮像装置を提供することを目的とする。
【課題を解決するための手段】
【０００７】
上記課題を達成するため、本発明の撮像装置は、撮影レンズが結像した被写体像を撮像して前記被写体像に応じた原画像データを取得する撮像素子と前記撮影レンズに含まれるフォーカスレンズを光軸方向に移動させるレンズ移動手段と前記原画像データが表す原画像を表示する表示手段と前記原画像データの一部を抽出して所定のズーム倍率に拡大したズーム画像データを作成するデジタルズーム処理手段とを備えた本体部と、先端が前記撮影レンズよりも前方に突出するように前記本体部に設けられ、情報が記載された対象物に前記先端を当接させることによって、前記本体部と前記対象物との距離を一定に保つスペーサ部材と、前記対象物に記載された情報を前記表示手段に拡大して表示するための拡大鏡モードを設定するモード設定手段と、このモード設定手段によって前記拡大鏡モードが設定された際に、前記レンズ移動手段を駆動して前記スペーサ部材の先端位置に前記撮影レンズの焦点を合わせるとともに、前記デジタルズーム処理手段に前記ズーム画像データを作成させ、作成された前記ズーム画像データが表すズーム画像を前記表示手段に表示することにより前記拡大鏡モードを実行するモード制御手段とを設けたことを特徴とする。
【０００８】
なお、前記モード制御手段は、前記撮像素子から出力された前記原画像データを基に前記ズーム画像データを作成し、作成した前記ズーム画像データが表す前記ズーム画像をスルー画として前記表示手段に表示することが好ましい。
【０００９】
また、前記本体部は、前記撮像素子に撮影の実行を指示するレリーズボタンと、撮影の実行に応じて取得された前記原画像データを記録媒体に記録する記録手段とを有し、前記モード制御手段は、前記表示手段にスルー画として前記ズーム画像を表示した状態で前記レリーズボタンが操作された際に、前記原画像データを前記記録媒体に記録するとともに、記録した前記原画像データを再び前記記録媒体から読み出して、この読み出した前記原画像データを基に前記ズーム画像データを作成し、作成した前記ズーム画像データが表す前記ズーム画像を前記表示手段に表示することが好ましい。
【００１０】
さらに、前記原画像データを基に被写体の輝度を表す測光値を算出する測光手段と、前記測光値が所定値以上あるか否かを判定する判定手段と、この判定手段によって前記測光値が所定値以下であると判定された際に、前記対象物を照らす照明手段とを設けることが好ましい。
【００１１】
なお、前記原画像データから算出されるフォーカス評価値を基にコントラスト方式のオートフォーカス処理を行う合焦制御手段を有する際には、前記照明手段を、前記オートフォーカス処理の際に被写体を照らすＡＦ補助光と兼用とすることが好ましい。
【００１２】
また、前記スペーサ部材を前記本体部に対して着脱自在に構成するとともに、前記スペーサ部材が取り付けられているか否かを検出する検出手段を前記本体部に設け、前記モード設定手段は、前記スペーサ部材が取り付けられたことを前記検出手段が検出した際に、前記拡大鏡モードを設定することが好ましい。
【００１３】
さらに、前記デジタルズーム処理手段に、前記原画像データの抽出する位置を示す抽出位置と前記ズーム倍率とによって設定される抽出領域に基づいて前記原画像データの抽出を行わせ、このデジタルズーム処理手段に前記抽出位置の移動を指示する移動指示手段を、前記本体部に設けることが好ましい。また、この際、前記抽出位置の移動可能な方向を報知する報知手段を設けることが好適である。
【００１４】
なお、前記スペーサ部材は、前記撮影レンズを囲むように略筒状に形成されるとともに、その先端面が平滑に形成され、前記対象物の表面と前記撮像素子の撮像面とを平行にすることが好ましい。
【００１５】
また、前記対象物に記載された情報には、少なくとも文字、記号、図柄のいずれかが含まれることが好ましい。
【発明の効果】
【００１６】
本発明では、モード設定手段によって拡大鏡モードが設定された際に、レンズ移動手段を駆動してスペーサ部材の先端位置に撮影レンズの焦点を合わせるとともに、デジタルズーム処理手段にズーム画像データを作成させ、作成されたズーム画像データが表すズーム画像を表示手段に表示することにより拡大鏡モードを実行するモード制御手段を設けた。これにより、モード設定手段で拡大鏡モードを設定するだけで、撮像装置を簡単に拡大鏡として利用することができる。また、対象物に先端を当接させることによって本体部と対象物との距離を一定に保つスペーサ部材を設けたので、調整のし直しなども必要なく、対象物に記載された情報を安定して見ることができる。
【発明を実施するための最良の形態】
【００１７】
図１は、デジタルカメラ（撮像装置）２の構成を概略的に示す前面方向から見た斜視図である。デジタルカメラ２は、略直方体状に形成されたカメラ本体（本体部）４と、このカメラ本体４の前面にアクセサリとして着脱自在に取り付けられるフード（スペーサ部材）６とから構成される。また、デジタルカメラ２は、静止画撮影を行う静止画撮影モードと、動画撮影を行う動画撮影モードと、撮影された各画像を液晶パネル（表示手段）２０（図２参照）に再生表示する再生モードと、時刻表やガイドブックなどの対象物に記載された文字、図柄、記号などといった情報を液晶パネル２０に拡大して表示する拡大鏡モードとの４つのモードを有している。なお、対象物に記載される情報は、印刷によるものでもよいし、彫刻によるものなどでもよい。
【００１８】
カメラ本体４にフード６が取り付けられていない状態では、静止画撮影モードと動画撮影モードと再生モードとを選択的に切り替えることができ、各撮影モードによる被写体の撮影と、取得した画像の再生表示とが行われる。一方、カメラ本体４にフード６が取り付けられると、デジタルカメラ２が自動的に拡大鏡モードに設定され、対象物の拡大表示が行われるようになる。
【００１９】
カメラ本体４の前面には、撮影レンズ１０を保持するレンズ鏡胴１１と、被写体像を光学的に観察するための光学ファインダ１２と、スライド式の電源スイッチ１３、及び撮影実行の際に被写体を照射するストロボ発光部１４と、オートフォーカス処理（ＡＦ）の際にＡＦ補助光を照射して被写体を照らすＡＦ補助光発光部（照明手段）１５とが設けられている。
【００２０】
また、カメラ本体４の上面には、レリーズボタン１６が設けられている。レリーズボタン１６は、２段階押しのスイッチとなっており、軽く押圧（半押し）すると、ＡＦやＡＥ（自動露出調整）などの各種撮影準備処理が実施される。この半押しした状態からレリーズボタン１５をもう一度強く押圧（全押し）すると、カメラ本体４に撮影の実行が指示され、撮影準備処理が施された１画面分の撮像信号が画像データに変換される。
【００２１】
フード６は、レンズ鏡胴１１とＡＦ補助光発光部１５とを囲むように略四角筒状に成形されており、その後端には、四隅を略Ｌ字状に突出させた取付足６ａが形成されている。一方、フード６の後端と対面するカメラ本体４の前面には、各取付足６ａのそれぞれに対応した取付穴１７が設けられている。フード６は、各取付足６ａを各取付穴１７に挿し込むことによって、カメラ本体４に取り付けられる。なお、挿し込まれた取付足６ａを押さえ付ける板バネを取付穴１７の内部に設けるなどして、取り付けられたフード６が簡単に外れないようにしておくことが好ましい。
【００２２】
このフード６は、カメラ本体４に取り付けられてデジタルカメラ２が拡大鏡モードに設定された際に、先端を対象物に当接させることによって、カメラ本体４と対象物との距離を一定に保ち、フォーカスの調節具合などにズレが生じることを防止する。このため、フード６は、先端が撮影レンズ１０よりも前方に突出するようにレンズ鏡胴１１よりも長く、かつ先端を当接させた際にも対象物に光が入射するように、透光性のある部材で成形されている。また、フード６の先端面は、平滑に形成されており、撮影レンズ１０の奥に配置されたＣＣＤ（撮像素子）３８（図３参照）の撮像面と対象物の表面とが平行になるようにする。これにより、フード６は、対象物との当接状態を安定に保持するとともに、撮像面と対象物とを正対させて対象物に記載された情報を正面から捉えられるようにする。
【００２３】
また、フード６の内部には、拡散レンズ１８が設けられている。拡散レンズ１８は、フード６がカメラ本体４に取り付けられた際に、ＡＦ補助光発光部１５と対面するように配置されている。デジタルカメラ２は、静止画撮影モードにおける撮影準備処理の際に被写体の輝度に応じてＡＦ補助光発光部１５を点灯させるとともに、拡大鏡モードにおける対象物の輝度に応じてもＡＦ補助光発光部１５を点灯させる。この際、ＡＦ補助光は、ある程度離れた被写体も照射できるように指向性を有しており、フード６の先端に当接する至近距離の対象物に対しては、読み取る部分の一部にしか光が照射されないことが懸念される。これを防止するため、拡散レンズ１８は、指向性のあるＡＦ補助光を拡散させて、フード６で覆われた対象物に満遍無く光が照射されるようにする（図５参照）。なお、ＡＦ補助光発光部１５としては、例えば、発光ダイオード（ＬＥＤ）やレーザダイオード（ＬＤ）などを用いればよい。
【００２４】
図２は、カメラ本体４を背面方向から見た平面図である。カメラ本体４の背面には、液晶パネル２０と操作部２１とが設けられている。液晶パネル２０には、撮影した画像や撮影時のいわゆるスルー画像、及び各種のメニュー画面などが表示される。操作部２１には、撮影レンズ１０を広角側もしくは望遠側に変倍するためのズーム操作ボタン２５、フード６が取り付けられていない状態で静止画撮影モードと動画撮影モードと再生モードとの切り替えを行うためのモード切替スイッチ２６、液晶パネル２０にメニュー画面を表示する際や選択内容を決定する際などに操作されるメニューボタン２７、及びメニュー画面内のカーソルを移動させる際などに操作される十字キー（移動指示手段）２８などが配設されている。
【００２５】
図３は、デジタルカメラ２の内部構成を概略的に示すブロック図である。撮影レンズ１０は、光軸Ｌに沿って配列されたズームレンズ３０、絞り３１、及びフォーカスレンズ３２によって構成されている。ズームレンズ３０には、レンズモータ３３が接続されている。レンズモータ３３は、ズーム操作ボタン２５の操作に連動して、ズームレンズ３０を広角側もしくは望遠側に移動させる。絞り３１には、アイリスモータ３４が接続されている。アイリスモータ３４は、レリーズボタン１６の半押しにともなう撮影準備処理の際に、絞り３１の開口面積を変化させてズームレンズ３０から入射する光の量を調節する。また、フォーカスレンズ３２には、レンズモータ（レンズ移動手段）３５が接続されている。レンズモータ３５は、ズームレンズ３０の変倍やレリーズボタン１６の半押しにともなって、フォーカスレンズ３２を光軸方向に移動させることにより、撮影レンズ１０の焦点を至近側、もしくは無限遠側に調整する。
【００２６】
各モータ３３、３４、３５は、モータドライバ３６に接続されている。モータドライバ３６は、デジタルカメラ２を統括的に制御するＣＰＵ３７に接続されており、このＣＰＵ３７からの制御信号に基づいて各モータ３３、３４、３５に駆動パルスを送信する。各モータ３３、３４、３５は、この駆動パルスに応じて回転軸を回転駆動する。なお、各モータ３３、３４、３５としては、例えば、ステッピングモータが用いられる。
【００２７】
撮影レンズ１０の背後には、撮影レンズ１０によって結像された被写体像を撮像するＣＣＤ３８が配置されている。ＣＣＤ３８には、ＣＰＵ３７によって制御されるタイミングジェネレータ（ＴＧ）３９が接続され、このＴＧ３９から入力されるタイミング信号（クロックパルス）により、電子シャッタのシャッタ速度が決定される。
【００２８】
ＣＣＤ３８から出力された撮像信号は、相関二重サンプリング回路（ＣＤＳ）４０に入力され、ＣＣＤ３８の各セルの蓄積電荷量に正確に対応したＲ、Ｇ、Ｂの画像データとして出力される。ＣＤＳ４０から出力された画像データは、増幅器（ＡＭＰ）４１で増幅され、Ａ／Ｄ変換器（Ａ／Ｄ）４２でデジタルの画像データに変換される。
【００２９】
画像入力コントローラ４３は、バス４４を介してＣＰＵ３７に接続され、ＣＰＵ３７の制御命令に応じて、ＣＣＤ３８、ＣＤＳ４０、ＡＭＰ４１、及びＡ／Ｄ４２の各部を制御する。Ａ／Ｄ４２から出力された画像データは、ＳＤＲＡＭ４５に一時的に記録される。
【００３０】
画像信号処理回路４６は、ＳＤＲＡＭ４５から画像データを読み出して、階調変換、ホワイトバランス補正、γ補正処理などの各種画像処理を施し、この画像データを再度ＳＤＲＡＭ４５に記録する。ＹＣ変換処理回路４７は、画像信号処理回路４６で各種処理を施された画像データをＳＤＲＡＭ４５から読み出し、輝度信号Ｙと色差信号Ｃｒ、Ｃｂとに変換する。
【００３１】
ＶＲＡＭ４８は、液晶パネル２０にスルー画像を出力するためのメモリであり、画像信号処理回路４６、ＹＣ変換処理回路４７を経た画像データが格納される。このＶＲＡＭ４８には、画像データの書き込みと読み出しとを並行して行えるように、２フレーム分のメモリが確保されている。ＶＲＡＭ４８に格納された画像データは、ＬＣＤドライバ４９でアナログのコンポジット信号に変換され、液晶パネル２０にスルー画像として表示される。
【００３２】
圧縮伸長処理回路５０は、ＹＣ変換処理回路４７でＹＣ変換された画像データを、例えば、ＴＩＦＦやＪＰＥＧなどといった所定の圧縮形式で圧縮する。圧縮された画像データは、メディアコントローラ（記録手段）５１を経由してメモリカード（記録媒体）５２に記憶される。
【００３３】
ＣＰＵ３７には、レリーズボタン１６、操作部２１、ＥＥＰＲＯＭ５３、及びマイクロスイッチ（検出手段）５４が接続されている。ＥＥＰＲＯＭ５３には、各種制御用のプログラムや設定情報などが記録されている。ＣＰＵ３７は、これらの情報をＥＥＰＲＯＭ５３から作業用メモリであるＳＤＲＡＭ４５に読み出して、各種処理を実行する。
【００３４】
マイクロスイッチ５４は、端子部の押圧に応じてＯＮ／ＯＦＦが切り替わる接点を有しており、この接点がＣＰＵ３７に接続されている。マイクロスイッチ５４は、フード６がカメラ本体４に取り付けられた際に、取付足６ａによって端子部が押圧されるように、各取付穴１７のいずれかに設けられている。これにより、ＣＰＵ３７は、マイクロスイッチ５４の接点のＯＮ／ＯＦＦに応じてフード６が取り付けられたことを検出し、この検出に応じてデジタルカメラ２を拡大鏡モードに設定する。なお、マイクロスイッチ５４は、１つに限ることなく、例えば、各取付穴１７のそれぞれ（本例では４つ）に設けるようにしてもよい。
【００３５】
また、バス４４には、上記の他に、ストロボ制御部５５、ＡＦ補助光制御部５６、ＡＥ／ＡＷＢ検出回路（測光手段）５７、ＡＦ検出回路（合焦制御手段）５８、及びデジタルズーム処理部（デジタルズーム処理手段）５９などが接続されている。ストロボ制御部５５は、ＣＰＵ３７から送信されるストロボ発光信号に応じてストロボ発光部１４を発光させる。ＡＦ補助光制御部５６も同様に、ＣＰＵ３７から送信されるＡＦ補助光発光信号に応じてＡＦ補助光発光部１５を発光させる。
【００３６】
ＡＥ／ＡＷＢ検出回路５７は、ＹＣ変換処理回路４７でＹＣ変換された画像データの輝度信号Ｙと色差信号Ｃｒ、Ｃｂとの積算値を基に、被写体の輝度を表す測光値を算出し、この算出結果をＣＰＵ３７に送信する。ＣＰＵ３７は、ＡＥ／ＡＷＢ検出回路５７から送信された測光値を基に、露出量、及びホワイトバランスの適否を判断し、絞り３１、及びＣＣＤ３８などの動作を制御する。
【００３７】
ＡＦ検出回路５８は、いわゆるコントラスト方式のＡＦ処理を行うためのものであり、Ａ／Ｄ４２でデジタル化された画像データから画像のコントラストを表すフォーカス評価値を算出して、この算出結果をＣＰＵ３７に送信する。フォーカス評価値は、画像の特定のエリア、例えば、撮影画像の中央部分の画像データを、ハイパスフィルタなどで輪郭抽出処理を施し、これにより抽出した輪郭信号、及び中央部分の画像データの輝度値を積算することで得られる。なお、フォーカス評価値は、大きい程その部分の高周波成分が多く、その部分が合焦状態にあることを表す。
【００３８】
ＣＰＵ３７は、レリーズボタン１６の半押しにともなう撮影準備処理の際に、レンズモータ３５を駆動して、フォーカスレンズ３２を至近から無限遠、もしくは無限遠から至近に向けて所定量ずつ移動させながら、各ポイントにおけるフォーカス評価値をＡＦ検出回路５８に算出させる。そして、フォーカス評価値が最大となるポイントを合焦位置として決定し、そのポイントにフォーカスレンズ３２を移動させることによってＡＦ処理を終了する。
【００３９】
また、ＣＰＵ３７は、ＡＦ処理を行う際に、ＡＥ／ＡＷＢ検出回路５７によって算出された測光値が、所定値以上であるか否かの判定を行う。この際、測光値が所定値以下であると判定されると、ＣＰＵ３７からＡＦ補助光制御部５６にＡＦ補助光発光信号が送信され、ＡＦ補助光発光部１５によって被写体が照らされる。コントラスト方式のＡＦ処理の場合、被写体全体が暗くて十分なコントラストが得られないと、フォーカス調整が困難になってしまう。ＡＦ補助光発光部１５から照射されるＡＦ補助光は、これを防止するために照射されるものであり、上述のように被写体を照射することによって、被写体が暗い場合でも適切にＡＦ処理が行われるようにする。また、ＡＦ補助光を用いてＡＦ処理がなされた際には、レリーズボタン１６の全押しに応じて、ＣＰＵ３７からストロボ制御部５５にストロボ発光信号が送信され、ストロボ発光部１４によって被写体が照射される。
【００４０】
デジタルズーム処理部５９は、画像信号処理回路４６もしくはＹＣ変換処理回路４７から出力された画像データをＳＤＲＡＭ４５から読み出し、この画像データにデジタルズーム処理を施してズーム画像データを作成する。なお、これ以降では、ズーム画像データと対比させるため、デジタルズーム処理前の画像データを、「原画像データ」と称す。デジタルズーム処理部５９には、例えば、抽出する領域の位置を示すズーム中心位置（請求項記載の抽出位置に相当）と、抽出する領域のサイズを示すズーム倍率とが、ＣＰＵ３７から入力される。なお、抽出領域の位置設定は、中心に限ることなく、例えば、四隅などであってもよい。
【００４１】
デジタルズーム処理部５９は、ズーム中心位置を中心としてズーム倍率に応じたサイズの抽出領域を設定する。ズーム画像データは、設定された抽出領域に対応する部分を原画像データから抽出した後、この抽出した部分を原画像データと同程度のサイズに拡大することによって作成される。なお、作成されたズーム画像データは、スルー画として液晶パネル２０に表示されるか、あるいは撮影画像としてメモリカード５２に記録される。
【００４２】
ＣＰＵ３７は、静止画撮影モード又は動画撮影モードに設定され、ズームレンズ３０がテレ端に移動してなおズーム操作ボタン２５が望遠側に操作された際に、ズーム操作ボタン２５の操作量に応じたズーム倍率をデジタルズーム処理部５９に入力し、光学ズームに続いてデジタルズーム処理を行う。また、ＣＰＵ３７は、拡大鏡モードが設定された際に、レンズモータ３３を駆動してズームレンズ３０をテレ端に移動させるとともに、設定可能な最大のズーム倍率をデジタルズーム処理部５９に入力し、光学ズームとデジタルズームとの最大の倍率で対象物に記載された情報を読み取る。
【００４３】
次に、図４に示すフローチャートを参照しながら、上記構成によるデジタルカメラ２の作用について説明する。まず、フード６が取り付けられていない状態で電源スイッチ１３をＯＮ状態にすると、モード切替スイッチ２６によって選択されたモードでデジタルカメラ２が起動する。静止画撮影モードや動画撮影モードが選択された際には、被写体の撮影が行われ、取得された静止画像や動画像がメモリカード５２に記録される。また、再生モードが選択された際には、撮影によって取得された画像や予め記録されていた画像などがメモリカード５２から読み出され、液晶パネル２０に再生表示される。
【００４４】
各取付穴１７に各取付足６ａを差し込んで、カメラ本体４にフード６を取り付けると、マイクロスイッチ５４の接点がＯＮ状態に切り替わってＣＰＵ３７にフード６の装着が検出される。フード６の装着を検出したＣＰＵ３７は、レンズモータ３３を駆動してズームレンズ３０をテレ端に移動させ、レンズモータ３５を駆動して撮影レンズ１０の焦点をフード６の先端位置に合わせるとともに、最大のズーム倍率をデジタルズーム処理部５９に入力する。これにより、デジタルカメラ２が拡大鏡モードに設定される。
【００４５】
図５に示すように、時刻表やガイドブックなどといった対象物ＴＡにフード６の先端を当接させると、対象物ＴＡに記載された情報がＣＣＤ３８によって読み取られる。ＣＣＤ３８に読み取られた情報は、ＣＤＳ４０、ＡＭＰ４１、Ａ／Ｄ４２を経てデジタルの原画像データとして取得される。取得された原画像データは、画像信号処理回路４６による種々の画像処理と、ＹＣ変換処理回路４７によるＹＣ変換処理とを施された後、デジタルズーム処理部５９に入力される。
【００４６】
また、ＹＣ変換処理回路４７によってＹＣ変換処理が施された原画像データは、デジタルズーム処理部５９に入力されるとともに、ＡＥ／ＡＷＢ検出回路５７にも入力される。ＡＥ／ＡＷＢ検出回路５７は、入力された原画像データを基に測光値を算出し、算出結果をＣＰＵ３７に出力する。ＡＥ／ＡＷＢ検出回路５７から測光値を入力されたＣＰＵ３７は、その測光値が所定値以上であるか否かの判定を行う。測光値が所定値以下であると判定したＣＰＵ３７は、ＡＦ補助光制御部５６にＡＦ補助光発光信号を送信してＡＦ補助光発光部１５を点灯させる。
【００４７】
ＡＦ補助光発光部１５から照射されたＡＦ補助光は、フード６内に設けられた拡散レンズ１８を透過し、ＣＣＤ３８に読み取られる部分の全域を照らすように拡散される。これにより、夜の屋外などといった周囲が暗い状況においても、対象物ＴＡに記載された情報の読み取りが可能になる。なお、ＣＰＵ３７に判定される測光値の所定値は、ＡＦの際に判定されるものと同一でもよいし、ＡＦと拡大鏡モードとで個別に設定されるものでもよい。
【００４８】
デジタルズーム処理部５９は、入力された原画像データにデジタルズーム処理を施して、設定された抽出領域に対応するズーム画像データを作成する。作成されたズーム画像データは、ＶＲＡＭ４８を介してＬＣＤドライバ４９に入力され、図６に示すように、ズーム画像データが表すズーム画像がスルー画として液晶パネル２０に表示される。この際、液晶パネル２０には、ズーム画像とともに、上下左右の方向を指し示す矢印状の指示アイコン（報知手段）６５がオーバーレイ表示される。
【００４９】
拡大鏡モードにあるＣＰＵ３７は、十字キー２８が操作される毎に、その操作方向と操作量とに応じてズーム中心位置を更新し、更新したズーム中心位置をデジタルズーム処理部５９に入力する。デジタルズーム処理部５９は、入力されたズーム中心位置に基づいて抽出領域を再設定し、十字キー２８が操作された方向に抽出領域を移動させる。これにより、例えば、図６（ａ）に示すようにズーム画像と指示アイコン６５とが表示された状態で十字キー２８を右方向に操作すると、その操作量に応じて図６（ｂ）に示すように表示されたズーム画像が右方向に移動する。
【００５０】
また、ＣＰＵ３７は、ズーム中心位置が限界位置（抽出領域が原画像データの端まで移動した位置）まで移動すると、図６（ｃ）に示すように、その方向の指示アイコン６５を消して、それ以上移動できないことを報知する。つまり、各指示アイコン６５は、抽出領域の移動可能な方向を報知するものである。なお、本例では、上下左右の４方向にのみ指示アイコン６５を表示しているが、これに限ることなく、他の方向を指し示す指示アイコン６５を付け加え、これらの方向に抽出領域が移動するようにしてもよい。また、移動可能な方向の報知は、指示アイコン６５に限ることなく、例えば、液晶パネル２０の外周にＬＥＤなどの表示ランプを設け、表示ランプの点灯と消灯とによって報知を行うようにしてもよい。
【００５１】
このように、本例のデジタルカメラ２によれば、カメラ本体４にフード６を取り付けるだけでデジタルカメラ２を手軽に拡大鏡として利用することができる。また、フード６の先端を対象物ＴＡに当接させることによって、カメラ本体４と対象物ＴＡとの距離が一定に保たれるので、フォーカス調整のし直しなどが必要になることもなく、対象物ＴＡに記載された文字や図柄などを安定して見ることができる。さらに、十字キー２８の操作に応じて抽出領域を移動させるようにしたので、表示するズーム画像の調整がしやすく、見たい情報に簡単に合わせることができる。なお、ズーム倍率が不足している場合やフード６の先端位置に焦点が合わせにくい場合などには、これらを補助する補助レンズをフード６に設けるようにしてもよい。
【００５２】
なお、上記実施形態では、ズーム画像データが表すズーム画像をスルー画として液晶パネル２０に表示するようにしているが、これに限ることなく、図７に示すように、レリーズボタン１６の操作に応じて静止画撮影を行い、撮影画像としてズーム画像を液晶パネル２０に表示するようにしてもよい。図７の例では、一度ズーム画像をスルー画として表示した後、レリーズボタン１６の全押しに応じて撮像された原画像データが、メモリカード５２に記録される。メモリカード５２に原画像データが記録されると、ＣＰＵ３７によってＣＣＤ３８とＴＧ３９との駆動が停止される。メモリカード５２に記録された原画像データは、再び読み出されてデジタルズーム処理部５９に入力され、作成されたズーム画像が撮影画像として液晶パネル２０に表示される。また、液晶パネル２０へのズーム画像の表示は、例えば、メニューボタン２７を操作することによって解除される。撮影画像の表示が解除されると、ＣＣＤ３８とＴＧ３９とが駆動され、再度スルー画が液晶パネル２０に表示される。
【００５３】
図７に示す例では、ズーム画像を撮影画像として表示する際に、ＣＣＤ３８やＴＧ３９などの駆動を停止するので、デジタルカメラ２を拡大鏡モードで使用する際の消費電力の低減を図ることができる。デジタルカメラ２の主たる利用法は、あくまでも静止画撮影モードや動画撮影モードにおける被写体の撮影であるから、本例で示すように、拡大鏡モードでは、なるべく消費電力を抑えるようにすることが好ましい。なお、図７のフローチャートでは省略したが、図４に示す例と同様に、液晶パネル２０にズーム画像が表示された状態で十字キー２８を操作することにより、操作した方向に抽出領域を移動させることができる。
【００５４】
なお、上記実施形態では、各取付穴１７に各取付足６ａを挿し込むことによって、フード６をカメラ本体４に取り付けるようにしているが、フード６の取付方法は、これに限ることなく、例えば、バヨネット方式などの他の機械的な嵌め合いによるものでもよいし、ねじ止めなどであってもよい。また、上記実施形態では、フード６の取り付けをマイクロスイッチ５４で検出するようにしているが、これに限ることなく、例えば、他の機械式スイッチを用いてもよいし、ホール素子などの磁気センサやフォトインタラプタなどの光学センサなどを用いてもよい。
【００５５】
また、上記実施形態では、スペーサ部材として四角筒状のフード６を用いているが、スペーサ部材の形状は、これに限ることなく、例えば、円筒状のものでもよいし、板状や棒状のものなどであってもよい。但し、板状や棒状のスペーサ部材は、対象物に当接させた際に、カメラ本体４などの姿勢が安定しない恐れがあるため、上記実施形態などで示すように、筒形状のものが好適である。さらに、スペーサ部材は、着脱自在なものに限らず、カメラ本体４に取り付けられたままのものとしてもよい。この場合、スペーサ部材が突出したままであると撮影時や携帯時に邪魔になることが懸念されるため、カメラ本体４の内部に収納されたり、カメラ本体４の前面に沿うように折り畳まれたりするように構成されていることが好ましい。
【００５６】
なお、上記実施形態では、拡大鏡モードの際に最大のズーム倍率をデジタルズーム処理部５９に入力するようにしているが、入力するズーム倍率は、最大値に限ることなく、対象物に記載された文字や図柄などが見やすい任意の値でよい。また、拡大鏡モードの際にズーム操作ボタン２５を操作することによって、デジタルズーム処理部５９に入力されるズーム倍率が変化するようにしてもよい。
【００５７】
また、上記実施形態では、拡大鏡モードの際に対象物を照らす照明を、ＡＦ処理の際に被写体を照らすＡＦ補助光発光部１５と兼用させているが、もちろん拡大鏡モード専用の照明を別途設けるようにしてもよい。
【００５８】
さらに、上記実施形態では、撮像装置としてデジタルカメラ２を示したが、撮像装置は、デジタルカメラ２の他にカメラ付き携帯電話などであってもよい。
【図面の簡単な説明】
【００５９】
【図１】デジタルカメラの外観を示す前面方向から見た斜視図である。
【図２】カメラ本体を背面方向から見た平面図である。
【図３】デジタルカメラの内部構成を概略的に示すブロック図である。
【図４】拡大鏡モード時の動作を概略的に示すフローチャートである。
【図５】拡大鏡モード時の使用状態を示す説明図である。
【図６】画像の表示例を示す説明図である。
【図７】拡大鏡モード時に静止画撮影を行う例を示すフローチャートである。
【符号の説明】
【００６０】
２  デジタルカメラ（撮像装置）
４  カメラ本体（本体部）
６  フード（スペーサ部材）
１０  撮影レンズ
１５  ＡＦ補助光発光部（照明手段）
１６  レリーズボタン
２０  液晶パネル（表示手段）
２８  十字キー（移動指示手段）
３２  フォーカスレンズ
３５  レンズモータ（レンズ移動手段）
３７  ＣＰＵ（モード設定手段、モード制御手段、判定手段）
３８  ＣＣＤ（撮像素子）
５１  メディアコントローラ（記録手段）
５２  メモリカード（記録媒体）
５４  マイクロスイッチ（検出手段）
５７  ＡＥ／ＡＷＢ検出回路（測光手段）
５８  ＡＦ検出回路（合焦制御手段）
５９  デジタルズーム処理部（デジタルズーム処理手段）
６５  指示アイコン（報知手段）
【図１】
2007208715.tif 000003
【図２】
2007208715.tif 000004
【図３】
2007208715.tif 000005
【図４】
2007208715.tif 000006
【図５】
2007208715.tif 000007
【図６】
2007208715.tif 000008
【図７】
2007208715.tif 000009